(57)【特許請求の範囲】
【請求項１】
常時は閉の手動の起動バルブが開放されることによって、内部に充填された加圧ガスを放出する加圧用ガスボンベと、
前記加圧用ガスボンベに接続され、前記加圧用ガスボンベから放出される加圧ガスの圧力を第一の圧力値に調整する圧力調整器と、
該圧力調整器に接続され、該圧力調整器によって調整された第一の圧力値の圧力の加圧ガスが導入されることによって、内部に充填された消火剤を放出する消火剤充填容器と、
該消火剤充填容器に基端が接続され、前記消火剤充填容器から放出される消火剤が供給されて、先端に設けられた消火用ノズルから消火剤を噴射する消火用ホースと、
を備えた消火装置において、
前記圧力調整器と前記消火剤充填容器との間に、常時は開で点検時に閉に操作されて、前記圧力調整器と前記消火剤充填容器との間の流路を遮断する、手動の仕切弁を設け、
前記圧力調整器と前記仕切弁との間に、前記点検終了後に、前記圧力調整器と前記仕切弁との間の流路の圧力を外部にパージする手動のパージ弁を設け、前記パージ弁は、押釦が配置され、前記押釦が操作されると、前記圧力調整器と前記仕切弁との間の流路の圧力を外部に排出することを特徴とする消火装置。 
【請求項２】
前記第一の圧力値よりも低い第二の圧力値未満の圧力では開放して、前記消火剤充填容器内の平常時の昇圧を防止し、また、前記第二の圧力値以上の圧力では閉鎖して、前記圧力調整器から導入される加圧ガスによる前記消火剤充填容器の昇圧を保持する逃がし弁を、前記圧力調整器と前記仕切弁との間に備えたことを特徴とする請求項１記載の消火装置。 
【請求項３】
前記パージ弁は、配管部と、前記配管部と直交して開口部を有する分岐部と、前記分岐部と連通する押圧穴と、を備え、前記押釦は前記押圧穴内にスプリングにより前記押圧穴に当接して配置され、前記押釦が押し操作されると、前記押圧穴より前記配管部内の流体を外部に排出することを特徴とする請求項１または２記載の消火装置。
【発明の詳細な説明】
【技術分野】
【０００１】
この発明は、消火装置に関する。
【背景技術】
【０００２】
消火装置の一例として、筐体内に加圧用ガスボンベと消火剤充填容器と消火用ホースとを備えたパッケージ消火装置が知られている（例えば、特許文献１参照）。
【０００３】
加圧用ガスボンベの二次側には、加圧用ガスボンベから放出される加圧ガスの圧力（例えば、１５ＭＰａ）を所定の圧力値の圧力（例えば、１ＭＰａ）に調整する圧力調整器が設けられ、圧力調整器の二次側には消火剤充填容器が接続され、消火剤充填容器は消火用ホースに接続される。
【０００４】
火災時、操作者は、加圧用ガスボンベの起動バルブを開く。すると、加圧用ガスボンベから放出された加圧ガスは圧力調整器によって調圧されて消火剤充填容器に導入され、消火剤充填容器から消火剤が放出される。この消火剤は、消火用ホースに導入され、先端に設けられた消火用ノズルから噴射されるので、操作者は、火災を消火することができる。
【０００５】
また、パッケージ消火装置には、通常時の温度変動等の影響に基づく、消火剤充填容器内の昇圧により、消火剤が消火剤充填容器内から消火用ホースなどの外部に放出されないようにするため、昇圧防止用の逃がし弁が設けられている。逃がし弁は、圧力調整器によって調整された圧力よりも低い圧力（例えば、０．０３ＭＰａ）を境に、弁開口としての排出孔が開閉することにより、通常時の昇圧を防止するとともに、火災時（消火剤放出時）における消火剤充填容器内の昇圧を保持して、消火用ホースを介して、消火剤を消火用ノズルから噴射させることができる。この逃がし弁は、通常、消火剤充填容器の消火剤放出口に設けられる。
【先行技術文献】
【特許文献】
【０００６】
【特許文献１】特開平１１−２９０４７５号公報
【発明の概要】
【発明が解決しようとする課題】
【０００７】
パッケージ消火装置は、火災時に装置が機能することを確認するため、定期的に機能点検を行う必要がある。点検内容としては、圧力調整器によって調圧される圧力値が適正であるかということ、昇圧防止用の逃がし弁が適正な圧力値で開閉するかということである。
【０００８】
しかし、従来、これらの機能点検を行うためには、圧力調整器、逃がし弁のそれぞれを装置から取り外し、機能点検を行わなければならなかった。
【０００９】
この発明は、圧力調整器や逃がし弁などを装置から取り外すことなく、消火装置の機能点検を行えるようにすることを目的とする。
【課題を解決するための手段】
【００１０】
（１）この発明の消火装置は、常時は閉の手動の起動バルブが開放されることによって、内部に充填された加圧ガスを放出する加圧用ガスボンベと、前記加圧用ガスボンベに接続され、前記加圧用ガスボンベから放出される加圧ガスの圧力を第一の圧力値に調整する圧力調整器と、該圧力調整器に接続され、該圧力調整器によって調整された第一の圧力値の圧力の加圧ガスが導入されることによって、内部に充填された消火剤を放出する消火剤充填容器と、該消火剤充填容器に基端が接続され、前記消火剤充填容器から放出される消火剤が供給されて、先端に設けられた消火用ノズルから消火剤を噴射する消火用ホースと、を備えた消火装置において、前記圧力調整器と前記消火剤充填容器との間に、常時は開で点検時に閉に操作されて、前記圧力調整器と前記消火剤充填容器との間の流路を遮断する、手動の仕切弁を設け、前記圧力調整器と前記仕切弁との間に、前記点検終了後に、前記圧力調整器と前記仕切弁との間の流路の圧力を外部にパージする手動のパージ弁を設け、前記パージ弁は、押釦が配置され、前記押釦が操作されると、前記圧力調整器と前記仕切弁との間の流路の圧力を外部に排出することを特徴とする。 
【００１１】
（２）また、（１）に記載の消火装置は、前記第一の圧力値よりも低い第二の圧力値未満の圧力では開放して、前記消火剤充填容器内の平常時の昇圧を防止し、また、前記第二の圧力値以上の圧力では閉鎖して、前記圧力調整器から導入される加圧ガスによる前記消火剤充填容器の昇圧を保持する逃がし弁を、前記圧力調整器と前記仕切弁との間に備えたことを特徴とする。
【００１２】
（３）また、（１）または（２）に記載の消火装置は、前記パージ弁は、配管部と、前記配管部と直交して開口部を有する分岐部と、前記分岐部と連通する押圧穴と、を備え、前記押釦は前記押圧穴内にスプリングにより前記押圧穴に当接して配置され、前記押釦が押し操作されると、前記押圧穴より前記配管部内の流体を外部に排出することを特徴とする。
【発明の効果】
【００１３】
この発明は、常時は閉の手動の起動バルブが開放されることによって、内部に充填された加圧ガスを放出する加圧用ガスボンベと、前記加圧用ガスボンベに接続され、前記加圧用ガスボンベから放出される加圧ガスの圧力を第一の圧力値に調整する圧力調整器と、該圧力調整器に接続され、該圧力調整器によって調整された第一の圧力値の圧力の加圧ガスが導入されることによって、内部に充填された消火剤を放出する消火剤充填容器と、該消火剤充填容器に基端が接続され、前記消火剤充填容器から放出される消火剤が供給されて、先端に設けられた消火用ノズルから消火剤を噴射する消火用ホースと、前記第一の圧力値よりも低い第二の圧力値未満の圧力では開放して、前記消火剤充填容器内の平常時の昇圧を防止し、また、前記第二の圧力値以上の圧力では閉鎖して、前記圧力調整器から導入される加圧ガスによる前記消火剤充填容器の昇圧を保持する逃がし弁と、を備えた消火装置において、前記圧力調整器と前記消火剤充填容器との間に、常時は開で点検時に閉に操作されて、前記圧力調整器と前記消火剤充填容器との間の流路を遮断する、手動の仕切弁を設け、前記圧力調整器と前記仕切弁との間に、前記逃がし弁を設けた。
【００１４】
点検時には、操作者は、まず常時開の仕切弁を閉じる。つぎに、逃がし弁の機能点検を行うために、常時閉の起動バルブをほんの少しだけ開いて、第二の圧力値未満の圧力値の圧力の加圧ガスを仕切弁までの経路に導入させる。このとき、逃がし弁から加圧ガスがリークしていることを音などにより確認することにより、逃がし弁が正常であることを確認することができる。つぎに、起動バルブをさらに開いて圧力調整器によって調整される第一の圧力値の圧力の加圧ガスを仕切弁までの経路に導入させる。このとき、逃がし弁から加圧ガスがリークしないことを音などにより確認することにより、逃がし弁が正常であることを確認することができる。このように、昇圧防止用の逃がし弁が適正な圧力値で開閉するかを確認することができる。またこのとき、圧力調整器の二次側圧力ゲージを目視することによって、圧力調整器によって調整される第一の圧力値が適正値であるかを確認することができる。以上のように、圧力調整器、逃がし弁のそれぞれを装置から取り外すことなく、消火装置の機能点検を行えることができる。
【００１５】
また、前記圧力調整器と前記仕切弁との間に、前記点検時に、前記圧力調整器と前記仕切弁との間の流路の圧力をパージする手動のパージ弁を備えた。上記の機能点検終了後は、操作者は、起動バルブを閉じ、つぎにパージ弁を操作して、圧力調整器と仕切弁との間の流路の圧力をパージする。最後に、仕切弁を開くことによって、装置を通常状態に復帰させることができる。
【００１６】
またこの発明は、常時は閉の手動の起動バルブが開放されることによって、内部に充填された加圧ガスを放出する加圧用ガスボンベと、前記加圧用ガスボンベに接続され、前記加圧用ガスボンベから放出される加圧ガスの圧力を第一の圧力値に調整する圧力調整器と、該圧力調整器に接続され、該圧力調整器によって調整された第一の圧力値の圧力の加圧ガスが導入されることによって、内部に充填された消火剤を放出する消火剤充填容器と、該消火剤充填容器に基端が接続され、前記消火剤充填容器から放出される消火剤が供給されて、先端に設けられた消火用ノズルから消火剤を噴射する消火用ホースと、を備えた消火装置において、前記圧力調整器と前記消火剤充填容器との間に、常時は開で点検時に閉に操作されて、前記圧力調整器と前記消火剤充填容器との間の流路を遮断する、手動の仕切弁を設け、前記圧力調整器と前記仕切弁との間に、前記点検時に、前記圧力調整器と前記仕切弁との間の流路の圧力をパージする手動のパージ弁を設けた。
【００１７】
点検時には、操作者は、まず常時開の仕切弁を閉じる。つぎに、起動バルブをさらに開いて圧力調整器によって調整される第一の圧力値の圧力の加圧ガスを仕切弁までの経路に導入させる。このとき、圧力調整器の二次側圧力ゲージを目視することによって、圧力調整器によって調整される第一の圧力値が適正値であるかを確認することができる。以上のように、圧力調整器を装置から取り外すことなく、消火装置の機能点検を行えることができる。そして、上記の機能点検終了後は、操作者は、起動バルブを閉じ、つぎにパージ弁を操作して、圧力調整器と仕切弁との間の流路の圧力をパージする。最後に、仕切弁を開くことによって、装置を通常状態に復帰させることができる。
【図面の簡単な説明】
【００１８】
【図１】この発明の実施の形態１を示す扉を開いた状態の消火装置の正面図。
【図２】加圧用ガスボンベから消火用ノズルまでの経路を説明する図。
【図３】図１の逃がし弁、パージ弁を説明する図。
【発明を実施するための形態】
【００１９】
実施の形態１
以下、本発明の一実施の形態について説明する。消火装置の一例としてのパッケージ型消火装置は、前面に開口１ａを有する箱状の本体１と、本体１の開口１ａを開閉自在に覆う観音開き状の開閉扉２とから筐体が構成される。
【００２０】
筐体内には、加圧用ガスボンベ７、圧力調整器９、消火剤充填容器３、消火用ホース４、消火用ノズル５が設けられている。
【００２１】
加圧用ガスボンベ７は、例えば１５ＭＰａの圧力値の加圧ガスを充填したタンクで、常時閉の手動の起動バルブ７ａを開操作することにより、加圧ガスが放出される。
【００２２】
圧力調整器９は、加圧用ガスボンベ７の二次側に接続され、加圧用ガスボンベ７から放出された加圧ガスの圧力を第一の圧力値の圧力（例えば、１ＭＰａ）  に調整して、その二次側から放出する。
【００２３】
消火剤充填容器３は消火剤としての泡消火薬剤を充填したタンクであり、この実施の形態では２つ設けられている。消火剤充填容器３は、加圧ガス導入管１０を介して、加圧ガスを消火剤充填容器３内に導入し、この加圧作用により、泡消火薬剤が放出集合管１１に放出される。
【００２４】
消火用ホース４は保形性能を有する、例えば長さ方向に垂直な断面が中空円形状のゴムホースである。消火用ホース４は、基端が放出集合管１１を介して消火剤充填容器３と接続され、先端に消火用ノズル５が設けられる。消火用ホース４は、放出集合管１１を介して、各消火剤充填容器３から放出された泡消火薬剤を消火用ホース４に導入する。
【００２５】
消火用ホース４は、基端側を筐体下部方向に立ち下げてから、筐体外周側を迂回して筐体上部方向に立ちあげられて、筐体上部に設けられたホース収納部６内部に導入され、ホース収納部６の内壁に沿って、巻き回して収納される。
【００２６】
消火用ノズル５は、消火用ノズル５から泡消火薬剤により生成される消火用泡(消火液)を放出するために操作される常時は閉の手動のレバー５ａを有する。消火用ノズル５は、発泡倍率が例えば５〜２０と低い消火用泡(低発泡)を生成して放出する低発泡用放水部５ｂと、発泡倍率が例えば２０〜８０と比較的高い消火用泡(中発泡)を生成して放出する中発泡用放水部５ｃとを備えている。
【００２７】
圧力調整器９と消火剤充填容器３（加圧ガス導入管１０）との間には、仕切弁２０、昇圧防止用の逃がし弁３０、パージ弁４０が設けられている。加圧ガス導入管１０の基端に仕切弁２０が接続され、仕切弁２０の一次側に逃がし弁３０が接続され、逃がし弁３０の一次側にパージ弁４０が接続され、パージ弁４０の一次側に圧力調整器９の二次側が接続される。なお、逃がし弁３０とパージ弁４０とは、その配設位置を逆としてもよい。
【００２８】
仕切弁２０は、手動の例えば、ボールバルブであり、常時は開で、圧力調整器９から消火剤充填容器３までの間の流路を遮断しないで、加圧ガス導入管１０を介して、圧力調整器９からの加圧ガスを消火剤充填容器３に導入させる。一方、点検時は閉に操作されて、圧力調整器９と消火剤充填容器３との間の流路を遮断して、加圧ガス導入管１０を介して、圧力調整器９からの加圧ガスを消火剤充填容器３に導入させない。
【００２９】
逃がし弁３０は、Ｔ字管としての配管部３１と、本体３３とを有する。配管部３１は、加圧ガスの通過経路に直交して開口部３１ａを有する分岐管３１ｂが設けられ、分岐管３１ｂにＯリング３２を介して本体３３が螺着される。
【００３０】
本体３３は、内部を貫通するように、ボール収納部３４、スプリング収納部３５、排出孔３６が連続して設けられる。これらの内径は、ボール収納部３４、スプリング収納部３５、排出孔３６の順で小さい。
【００３１】
ボール収納部３４は、ボール３７が摺動自在に内部に収納される。ボール３７の外径は、ボール収納部３４の内径よりも小さく、かつスプリング収納部３５の内径よりも大きい。ボール収納部３４は、開口部３１ａに面する一端側が複数の連通孔３８ａを有するボール押え板３８で閉止され、他端側は、スプリング収納部３５とほぼ同径の内径を有するパッキン３９が設けられる。
【００３２】
スプリング収納部３５は、スプリング収納部３５とほぼ同径の、例えばコイル状のスプリング３５ａが収納される。スプリング３５ａは、ボール３７に当接して、ボール押え板３８方向にボール３７を付勢する。
【００３３】
ボール３７は、スプリング３５ａの付勢力により、常時は、ボール押え板３８に当接している。この状態のときは、ボール３７の外径がボール収納部３４の内径よりも小さいため、配管部３１内の加圧ガスなどの流体は、開口部３１ａ、連通孔３８ａ、ボール３７とボール収納部３４との隙間、スプリング収納部３５を介して、排出孔３６から外部に排出される。
【００３４】
一方、第二の圧力値としての例えば、０．０３ＭＰａ以上の反力がボール３７に生じると、スプリング３５ａが縮んで、ボール３７がパッキン３９に当接する。この状態のときは、配管部３１内の加圧ガスなどの流体は、ボール収納部３４とスプリング収納部３５との連通をボール３７が閉止するので、排出孔３６から外部に排出されない。
【００３５】
上記の構成により、逃がし弁３０は、第一の圧力値（例えば、１ＭＰａ）よりも低い第二の圧力値（例えば、０，０３ＭＰａ）未満の圧力では開放して、消火剤充填容器３内の平常時の昇圧を防止し、また、第二の圧力値（例えば、０，０３ＭＰａ）以上の圧力では閉鎖して、圧力調整器９から導入される加圧ガスによる消火剤充填容器３の昇圧を保持することができる。
【００３６】
つぎに、パージ弁４０は、配管部４１と、キャップ４２とを有する。配管部４１は、加圧ガスの通過経路に直交して開口部４１ａを有する分岐部４１ｂが設けられ、分岐部４１ｂにキャップ４２が螺着される。
【００３７】
キャップ４２は押圧穴４３が設けられ、押圧穴４３内に押釦４４が配置される。開口部４１ａと押釦４４との間には、押釦４４を押圧穴４３側に付勢するスプリング４５が設けられる。
【００３８】
押釦４４は、スプリング４５の付勢力により、常時は、押圧穴４３に当接している。この状態のときは、配管部４１内の加圧ガスなどの流体は、押圧穴４３から外部に排出されることはない。
【００３９】
一方、操作者により、押釦４４が押し操作されると、スプリング４５が縮んで、押釦４４と押圧穴４３との間に隙間が生じるため、配管部４１内の加圧ガスなどの流体は、開口部４１ａ、押釦４４と押圧穴４３との間の隙間を介して、押圧穴４３から外部に排出される。
【００４０】
上記の構成により、パージ弁４０は、点検時等に操作されることにより、圧力調整器９と仕切弁２０との間の流路の圧力をパージすることができる。なお、押釦４４と押圧穴４３との間に、Ｏリング等を配設して気密性を向上させることもできる。また、パージ弁４０は、キャップ４２の代わりに、分岐部４１ｂに常時は閉の手動のボールバルブを螺着する構造としてもよい。
【００４１】
つぎに、本実施の形態のパッケージ型消火装置の動作について説明する。まず、通常時、レバー５ａは閉、起動バルブ７ａは閉、仕切弁２０は開である。この状態において、環境温度の変動に基づいて、消火剤充填容器３内に微小の昇圧（０．０３ＭＰａ未満）が生じた場合、逃がし弁３０の排出孔３６がボール３７により塞がれていないので、昇圧分の圧力は、加圧ガス導入管１０を経由して、逃がし弁３０の排出孔３６から外部に放出されるため、消火剤充填容器３内は通常時の大気圧に維持することができる。これにより、消火剤充填容器３内の泡消火薬剤が、消火用ホース４などの外部に放出されることがなくなる。
【００４２】
火災が発生した場合、操作者はまず、開閉扉２を開けて起動バルブ７ａを開く。すると加圧用ガスボンベ７からの加圧ガスが圧力調整器９で第１の圧力値（例えば、１ＭＰａ）の圧力に調整されて、加圧ガス導入管１０を介して各消火剤充填容器３内に導入される。そして、各消火剤充填容器３内の泡消火薬剤が放出集合管１１を介して消火用ホース４に導入される。このとき、逃がし弁３０は、ボール３７がパッキン３９に着座して排出孔３６からの圧力漏れが生じないので、圧力調整器９から導入される加圧ガスによる消火剤充填容器３の昇圧を保持することができる。つぎに、操作者は、消火用ノズル５を手に持って消火用ホース４をホース収納部６から引き出し、火災発生場所へと近づく。そして操作者は、最初に少し離れた場所から、レバー５ａを操作して、低発泡用放水部５ｂから消火用泡(低発泡)を放出する。そしてある程度、火勢が鎮まったら、火災発生場所に近づいて、レバー５ａを操作して中発泡用放水部５ｃから消火用泡(中発泡)を放出して、火災を鎮火する。火災鎮火後、操作者は、起動バルブ７ａ、レバー５ａを閉じ、消火用ホース４をホース収納部６内に収納する。
【００４３】
点検時には、操作者は、まず常時開の仕切弁２０を閉じる。つぎに、逃がし弁３０の機能点検を行うために、常時閉の起動バルブ７ａをほんの少しだけ開いて、第二の圧力値（例えば、０．０３ＭＰａ）未満の圧力値の圧力の加圧ガスを仕切弁２０までの経路に導入させる。このとき、逃がし弁３０が正常であれば、逃がし弁３０の排出孔３６が閉止していないので、排出孔３６から加圧ガスがリークする。操作者は、この排出音を確認して、正常と判断する。また、排出孔３６周りに石鹸水などを付着させ、泡立つことで正常と判断してもよい。
【００４４】
つぎに、起動バルブ７ａをさらに開いて圧力調整器９によって調整される第一の圧力値（例えば、１ＭＰａ）の圧力の加圧ガスを仕切弁２０までの経路に導入させる。このとき、逃がし弁３０が正常であれば、逃がし弁３０の排出孔３６が閉止しているので、排出孔３６から加圧ガスがリークしない。操作者は、この排出音がないことを確認して、正常と判断する。また、排出孔３６周りに石鹸水などを付着させ、泡立たないことで正常と判断してもよい。なお、逃がし弁３０が異常ならば交換する。このように、昇圧防止用の逃がし弁３０が適正な圧力値で開閉するかを確認することができる。
【００４５】
またこのとき、圧力調整器９の二次側圧力ゲージ９ａを目視することによって、圧力調整器９によって調整される第一の圧力値（例えば、１ＭＰａ）が適正値であるかを確認することができる。適正値でなければ、圧力調整ツマミ９ｂを操作して、二次側圧力ゲージ９ａを目視しながら、第一の圧力値を適正値にする。以上のように、圧力調整器９、逃がし弁３０のそれぞれを装置から取り外すことなく、消火装置の機能点検を行えることができる。
【００４６】
機能点検終了後は、操作者は、起動バルブ２０を閉じ、つぎにパージ弁４０の押釦４４を押圧操作して、圧力調整器９と仕切弁２０との間の流路の圧力をパージする。最後に、仕切弁２０を開くことによって、装置を通常状態に復帰させる。
【００４７】
以上の通り、本実施の形態の消火装置としてのパッケージ型消火装置は、常時は閉の手動の起動バルブ７ａが開放されることによって、内部に充填された加圧ガスを放出する加圧用ガスボンベ７と、加圧用ガスボンベ７に接続され、加圧用ガスボンベ７から放出される加圧ガスの圧力を第一の圧力値（例えば、１ＭＰａ）に調整する圧力調整器９と、該圧力調整器９に接続され、該圧力調整器９によって調整された第一の圧力値の圧力の加圧ガスが導入されることによって、内部に充填された消火剤（泡消火薬剤）を放出する消火剤充填容器３と、該消火剤充填容器３に基端が接続され、消火剤充填容器３から放出される消火剤が供給されて、先端に設けられた消火用ノズル５から消火剤を噴射する消火用ホース４と、第一の圧力値よりも低い第二の圧力値（例えば、０．０３ＭＰａ）未満の圧力では開放して、消火剤充填容器３内の平常時の昇圧を防止し、また、第二の圧力値以上の圧力では閉鎖して、圧力調整器９から導入される加圧ガスによる消火剤充填容器３の昇圧を保持する逃がし弁３０と、を備えた消火装置において、圧力調整器９と消火剤充填容器３との間に、常時は開で点検時に閉に操作されて、圧力調整器９と消火剤充填容器３との間の流路を遮断する、手動の仕切弁２０を設け、圧力調整器９と仕切弁２０との間に、逃がし弁３０を設けるようにしたので、圧力調整器９、逃がし弁３０のそれぞれを装置から取り外すことなく、消火装置の機能点検を行えることができる。
【００４８】
また、圧力調整器９と仕切弁２０との間に、点検時に、圧力調整器９と仕切弁２０との間の流路の圧力をパージする手動のパージ弁４０を備えるようにしたので、機能点検終了後は、操作者は、装置を通常状態に復帰させることができる。
【００４９】
また、本実施の形態の消火装置としてのパッケージ型消火装置は、常時は閉の手動の起動バルブ７ａが開放されることによって、内部に充填された加圧ガスを放出する加圧用ガスボンベ７と、加圧用ガスボンベ７に接続され、加圧用ガスボンベ７から放出される加圧ガスの圧力を第一の圧力値（例えば、１ＭＰａ）に調整する圧力調整器９と、該圧力調整器９に接続され、該圧力調整器９によって調整された第一の圧力値の圧力の加圧ガスが導入されることによって、内部に充填された消火剤（泡消火薬剤）を放出する消火剤充填容器３と、該消火剤充填容器３に基端が接続され、消火剤充填容器３から放出される消火剤が供給されて、先端に設けられた消火用ノズル５から消火剤を噴射する消火用ホース４と、を備えた消火装置において、圧力調整器９と消火剤充填容器３との間に、常時は開で点検時に閉に操作されて、圧力調整器９と消火剤充填容器３との間の流路を遮断する、手動の仕切弁２０を設け、圧力調整器９と仕切弁２０との間に、点検時に、圧力調整器９と仕切弁２０との間の流路の圧力をパージする手動のパージ弁４０を備えるようにしたので、圧力調整器９を装置から取り外すことなく、機能点検を行えることができる。そして、機能点検終了後は、操作者は、装置を通常状態に復帰させることができる。この場合、圧力調整器９を装置から取り外すことなく、圧力調整器９の機能点検を行えることができればよく、逃がし弁３０は、本実施の形態のように、圧力調整器９と仕切弁２０との間に設けることに限定されない。
【００５０】
上記の実施の形態では、消火剤として泡消火薬剤を用いたものについて説明したが、泡以外の例えば粉末消火薬剤を使用した消火装置にも適用可能であり同様な効果が得られる。
【符号の説明】
【００５１】
１  本体、１ａ  開口、２  開閉扉、３  消火薬剤充填容器、４  消火用ホース、５消火用ノズル、５ａ  レバー、５ｂ  低発泡用放水部、５ｃ  中発泡用放水部、６  ホース収納部、７  加圧ガス用ボンベ、７ａ  起動バルブ、９  圧力調整器、９ａ  二次側圧力ゲージ、９ｂ  圧力調整ツマミ、１０  加圧ガス導入管、１１  放出集合管、２０  仕切弁、３０  逃がし弁、３１  配管部、３１ａ  開口部、３１ｂ  分岐管、３２  Ｏリング、３３  本体、３４  ボール収納部、３５  スプリング収納部、３５ａ  スプリング、３６  排出孔、３７  ボール、３８  ボール押え板、３８ａ  連通孔、３９  パッキン、４０  パージ弁、４１  配管部、４１ａ  開口部、４１ｂ  分岐部、４２  キャップ、４３  押圧穴、４４  押釦、４５  スプリング。
【図１】
0005718108.tif 000002
【図２】
0005718108.tif 000003
【図３】
0005718108.tif 000004